(57)【要約】【課題】コネクタ接続された光ファイバを確実に保護すると共に、光ファイバのコネクタ接続の作業性を向上させることができる光モジュール及び光成端箱を提供する。【解決手段】光モジュール３は、筐体２に取り付けられたベース部材８を有している。このベース部材８は２本のガイド棒９を有し、このガイド棒９には、モジュール本体１１が移動可能に支持されている。モジュール本体１１は、複数のコネクタアダプタ部１９を有し、このコネクタアダプタ部１９の前面側接続部には、光コード７が接続されている。モジュール本体１１には、コネクタアダプタ部１９の前面側接続部に接続された光コード７を保護するための可動保護部材２３が蝶番２４を介して回動可能に取り付けられている。可動保護部材２３の裏面には、一方のガイド棒９に係合するストッパ２７が固定されている。【選択図】　図４
2004086060.tif 000002
【特許請求の範囲】
【請求項１】
筐体内に配置され、光ファイバの接続部を収納する光モジュールにおいて、
前記筐体に取り付けられるベース部材と、
前記ベース部材に移動可能に支持され、前記光ファイバが接続されるコネクタ部を有するモジュール本体と、
前記モジュール本体に取り付けられ、前記コネクタ部に接続された前記光ファイバを保護する可動保護部材とを備えることを特徴とする光モジュール。
【請求項２】
前記可動保護部材は、前記モジュール本体に蝶番を介して回動自在に取り付けられていることを特徴とする請求項１記載の光モジュール。
【請求項３】
前記蝶番は、任意の角度で静止可能なトルクヒンジであることを特徴とする請求項２記載の光モジュール。
【請求項４】
前記可動保護部材が前記コネクタ部に接続された前記光ファイバを保護する通常位置にあるときに、前記可動保護部材を前記通常位置に固定するロック手段を更に備えることを特徴とする請求項１〜３のいずれか一項記載の光モジュール。
【請求項５】
前記ベース部材は、前記モジュール本体を支持するガイド棒を有し、
前記可動保護部材には、前記ガイド棒と係合するストッパが設けられており、前記ストッパで前記ロック手段を構成したことを特徴とする請求項４記載の光モジュール。
【請求項６】
筐体と、
前記筐体内に配置された請求項１〜５のいずれか一項記載の光モジュールとを備えたことを特徴とする光成端箱。
【発明の詳細な説明】
【０００１】
【発明の属する技術分野】
本発明は、光ファイバの接続部を収納するための光モジュール及び光成端箱に関するものである。
【０００２】
【従来の技術】
架空または地中からの外線光ファイバケーブルをビル等の通信施設に導入し、屋内用の光ファイバケーブルとの接続を行う際には、例えばビル内の機器室に光成端箱を設置する。光成端箱は、筐体と、この筐体内に配置された複数の光モジュールとを有している。光モジュールは、トレイ等で構成され、外線光ファイバケーブルから延び出た光ファイバと屋内用の光ファイバケーブルから延び出た光ファイバとの接続部を収納するものである。
【０００３】
【発明が解決しようとする課題】
上記のような光モジュールにおいて、光ファイバの接続切り替えを容易に行うためには、一般に光ファイバの接続形態としてコネクタ接続が用いられる。このコネクタ接続された光ファイバは、外部からの衝撃を受けると、光伝送信号に影響を与えることがある。
【０００４】
本発明の目的は、コネクタ接続された光ファイバを確実に保護すると共に、光ファイバのコネクタ接続の作業性を向上させることができる光モジュール及び光成端箱を提供することである。
【０００５】
【課題を解決するための手段】
本発明は、筐体内に配置され、光ファイバの接続部を収納する光モジュールにおいて、筐体に取り付けられるベース部材と、ベース部材に移動可能に支持され、光ファイバが接続されるコネクタ部を有するモジュール本体と、モジュール本体に取り付けられ、コネクタ部に接続された光ファイバを保護する可動保護部材とを備えることを特徴とするものである。
【０００６】
このような光モジュールは、モジュール本体がベース部材に対して前後方向に移動可能となるように筐体に設置される。モジュール本体が筐体内に収納されている状態では、コネクタ部に接続された光ファイバが可動保護部材によって保護されるため、当該光ファイバが外部からの干渉を受けることは無い。光ファイバのコネクタ接続作業を行うときは、まずモジュール本体をベース部材に対して手前側に引き出す。続いて、可動保護部材をモジュール本体に対して動かし、接続すべき光ファイバをコネクタ部に接続する。このように可動保護部材をモジュール本体に対して動かすことにより、光ファイバのコネクタ接続作業を行うためのスペースが十分に確保されるようになるため、作業性が向上する。
【０００７】
好ましくは、可動保護部材は、モジュール本体に蝶番を介して回動自在に取り付けられている。この場合には、モジュール本体をベース部材に対して手前側に引き出した後、可動保護部材を下側に回動させることで、光ファイバのコネクタ接続作業を行うためのスペースを十分に確保することが可能となる。
【０００８】
この場合、好ましくは、蝶番は、任意の角度で静止可能なトルクヒンジである。これにより、可動保護部材を自由な位置に保持することができるため、光ファイバのコネクタ接続作業時に、可動保護部材が揺れ動いて作業しにくくなることとが防止される。また、作業中に可動保護部材が揺れ動くことによる周辺の光ファイバへの影響を防止する事もできる。
【０００９】
また、好ましくは、可動保護部材がコネクタ部に接続された光ファイバを保護する通常位置にあるときに、可動保護部材を通常位置に固定するロック手段を更に備える。これにより、モジュール本体が筐体内に収納されているときに、可動保護部材が不意に動いて、下側の光モジュールに収納された光ファイバに損傷を与えることを確実に防止できる。
【００１０】
このとき、好ましくは、ベース部材は、モジュール本体を支持するガイド棒を有し、可動保護部材には、ガイド棒と係合するストッパが設けられており、ストッパでロック手段を構成する。この場合、モジュール本体が筐体内に収納されているときは、ストッパがガイド棒に載っかった状態となるため、可動保護部材が動くことは無い。このようにロック手段を簡易な構造で実現することができる。
【００１１】
また、本発明の光成端箱は、筐体と、筐体内に配置された上記の光モジュールとを備えたことを特徴とするものである。
【００１２】
このように可動保護部材を有する光モジュールを設けることにより、上述したように、モジュール本体が筐体内に収納されている状態では、コネクタ部に接続された光ファイバが外部からの干渉を受けることが防止される。また、光ファイバのコネクタ接続作業を行うときは、モジュール本体をベース部材に対して手前側に引き出した後、可動保護部材をモジュール本体に対して動かすことで、作業がやり易くなる。
【００１３】
【発明の実施の形態】
以下、本発明に係る光モジュール及び光成端箱の好適な実施形態について図面を参照して説明する。
【００１４】
図１は、本発明に係る光モジュールの一実施形態を備えた光成端箱の正面図である。同図において、光成端箱１は筐体２を有し、この筐体２内には、複数の光モジュール３が積層状態で配置されている。光モジュール３は、外線光ケーブル（一次側光ケーブル）４から延び出た光ファイバ５と局内用光ケーブル（二次側光ケーブル）６から延び出た光ファイバ７との接続部を収納するものである。
【００１５】
図２は光モジュール３の平面図であり、図３は光モジュール３の正面図であり、図４は光モジュール３の側面図である。図２〜図４において、光モジュール３は、光成端箱１の筐体２の背面内壁に取り付けられたベース部材８を有している。このベース部材８は、筐体２の前後方向に延在した２本のガイド棒９を有し、各ガイド棒９の先端には、フランジ１０が設けられている。
【００１６】
このようなガイド棒９には、モジュール本体１１が筐体２の前後方向に移動可能に支持されている。モジュール本体１１は、ガイド棒９を貫通させる穴部を有する２つの支持部材１２の上面に固定されている。
【００１７】
モジュール本体１１の後部には、外線光ケーブル４（図１参照）から延び出た多心光ファイバテープ心線５をモジュール本体１１内に導入、把持するためのファイバ導入部１３が設けられている。光ファイバテープ心線５は、モジュール本体１１内に予め収納された分岐光ファイバ心線１４と融着接続される。分岐光ファイバ心線１４は、光ファイバテープ心線５と融着接続された多心光ファイバテープ心線を心線分岐部１５において単心光ファイバ心線に分岐させている。この分岐光ファイバ心線１４の先端には、ＳＣ型コネクタ等の光コネクタ１６が設けられている。
【００１８】
モジュール本体１１の前部には、局内用光ケーブル６（図１参照）から延び出た光コード７をモジュール本体１１内に導入、把持するためのコード導入部１７が設けられている。この光コード７の先端には、ＳＣ型コネクタ等の光コネクタ１８が設けられている。
【００１９】
モジュール本体１１は、その左右方向に並設された複数のコネクタアダプタ部１９からなるコネクタアダプタ群１９Ａを有している。コネクタアダプタ部１９は、上下方向に２つの接続部を有する２連型コネクタアダプタ部である。コネクタアダプタ部１９の後面側接続部には、分岐光ファイバ心線１４の光コネクタ１６が予め接続されている。また、コネクタアダプタ部１９の前面側接続部には、光コード７の光コネクタ１８が接続される。
【００２０】
なお、コネクタアダプタ部１９としては、上記の２連型のものに限らず、単心接続するものや２心以上の接続部を有するものを使用しても良い。
【００２１】
モジュール本体１１内におけるコネクタアダプタ群１９Ａの後方には、心線分岐部１５で単心分岐された分岐光ファイバ心線１４を所望の曲げ半径で引き回すため３つのＲガイド２０が設けられている。
【００２２】
また、モジュール本体１１内におけるコネクタアダプタ群１９Ａの側方には、光ファイバテープ心線５と分岐光ファイバ心線１４との融着接続部を固定するための融着接続部ホルダ２１と、光ファイバテープ心線５及び分岐光ファイバ心線１４の余長を収納するための余長収納ガイド部２２とが設けられている。余長収納ガイド部２２は、光ファイバテープ心線５及び分岐光ファイバ心線１４の余長を所望の曲げ半径で輪状に巻くように構成されている。
【００２３】
コネクタアダプタ群１９Ａの前方には、コネクタアダプタ部１９の前面側接続部に接続された光コード７を保護するための可動保護部材２３が設けられている。この可動保護部材２３は、２本のガイド棒９に挟まれるように配置されていると共に、上下方向に回動自在となるようにモジュール本体１１に３つの蝶番２４を介して取り付けられている。蝶番２４としては、任意の角度で静止させることが可能なトルクヒンジを使用する。
【００２４】
可動保護部材２３は、矩形状の棚部２５と扉部２６とを有し、棚部２５上に光コード７が載置される。なお、可動保護部材２３が水平位置（通常位置）にある状態では、扉部２６の位置がモジュール本体１１の前面位置とほぼ一致している。棚部２５の裏面には、一方のガイド棒９まで延びて係合するストッパ２７が固定されている。
【００２５】
以上のような光モジュール３において、モジュール本体１１が光成端箱１の筐体２内に収納されている状態では、可動保護部材２３は図４に示すような通常位置にある。この時には、可動保護部材２３の下面に設けたストッパ２７がガイド棒９に載っかった状態となり、可動保護部材２３がその位置に固定される。つまり、可動保護部材２３は、通常位置でロックされた状態となっている。従って、振動等によって不意に可動保護部材２３が下がって、下側の光モジュール３に収納された光コード７に干渉し、障害を引き起こすことは無い。
【００２６】
また、可動保護部材２３には扉部２６が設けられているので、コネクタアダプタ部１９の前面側接続部に接続されて棚部２５上に置かれた光コード７が外部からの干渉を受けることはほとんど無い。従って、光コード７の損傷等が防止されるため、光コード７による光伝送に悪影響を与えることが回避される。
【００２７】
この状態から、新たな光コード７の配線・接続や光コード７の接続切り替えといった作業を行うときは、図５に示すように、モジュール本体１１を２本のガイド棒９に沿って手前側に引き出す。このとき、可動保護部材２３の下面のストッパ２７がガイド棒９のフランジ１０を乗り越えてガイド棒９から外れることで、可動保護部材２３のロック状態が解除される。
【００２８】
そして、図６に示すように、モジュール本体１１をガイド棒９の最前位置まで引き出す。このとき、支持部材１２の前面がガイド棒９のフランジ１０に当たって止まるため、モジュール本体１１がガイド棒９から外れることは無い。また、可動保護部材２３をモジュール本体１１に対して回動自在に連結するための蝶番２４として、角度を自在に調整できるトルクヒンジを用いているため、この時点で可動保護部材２３が自由に動いてしまうことは無い。
【００２９】
続いて、図７に示すように、作業者が光コード７の配線・接続作業を行いやすい位置まで可動保護部材２３を下げる。このとき、上述したようにトルクヒンジ２４が使われているため、可動保護部材２３はその位置に固定される。このため、可動保護部材２３が揺れ動くことは無いので、配線・接続作業に支障をきたすことは無い。
【００３０】
そして、新たな光コード７の配線・接続を行うときは、接続すべき光コード７の光コネクタ１８を、該当するコネクタアダプタ部１９の前面側接続部に差し込む。また、光コード７の接続切り替えを行うときは、接続替えを行うべき光コード７の光コネクタ１８を、コネクタアダプタ部１９の前面側接続部から引き抜き、該当するコネクタアダプタ部１９の前面側接続部に差し込む。
【００３１】
このように可動保護部材２３を下げることにより、光コード７の配線・接続作業を行うためのスペースが十分に確保されるようになるため、特にコネクタアダプタ部１９の下段の前面側接続部に対する光コード７の抜き差しが行いやすくなる。従って、光コード７の配線・接続作業が容易に行える。
【００３２】
このような光コード７の配線・接続作業が終了した後、図８に示すように、モジュール本体１１を２本のガイド棒９に沿って押し戻し、筐体２内に収納する。このとき、可動保護部材２３が元の水平位置に戻っていないと、モジュール本体１１を押し込んだ時にストッパ２７がガイド棒９に当たってしまい、モジュール本体１１を筐体２内に収納できなくなる。そこで、まず可動保護部材２３を上げて水平位置に戻し、その状態でモジュール本体１１を押し込むようにする。これにより、ストッパ２７がガイド棒９のフランジ１０を確実に乗り越えてガイド棒９に載っかり、可動保護部材２３がロック状態となる。
【００３３】
以上のように本実施形態の光モジュール３にあっては、モジュール本体１１に対して回動可能な可動保護部材２３を設けたので、モジュール本体１１が筐体２内に収納されている時に、光コード７のコネクタ接続部を確実に保護することができると共に、モジュール本体１１を手前に引き出してから可動保護部材２３を下げることで、光コード７の配線・接続作業を容易に行うことができる。
【００３４】
また、可動保護部材２３を水平位置に戻さないと、モジュール本体１１を筐体２内に収納できない構造となっているので、可動保護部材２３のロックし忘れを確実に防止することができる。さらに、光コード７の配線・接続作業を行う際に、可動保護部材２３をモジュール本体１１から取り外す必要がないため、作業者の手間が省けると共に、可動保護部材２３の紛失等を防ぐことができる。
【００３５】
なお、本発明に係る光モジュールは、上記実施形態に限定されるものではない。例えば、上記実施形態では、可動保護部材２３をモジュール本体１１に対して回動自在に取り付けるための蝶番２４としてトルクヒンジを使用したが、トルクヒンジ以外の蝶番を使用しても勿論かまわない。
【００３６】
また、上記実施形態では、可動保護部材２３をモジュール本体１１に対して回動させる構成としたが、光コード７の配線・接続作業を行い易くするものであれば、例えば可動保護部材２３をモジュール本体１１に対して上下方向に移動させるような構造であってもよい。
【００３７】
さらに、上記実施形態では、モジュール本体１１が筐体２内に収納されている状態では、ストッパ２７により可動保護部材２３がロックされる構成としたが、可動保護部材２３のロック手段としては特にこれに限られず、例えば可動保護部材２３をネジ等で固定してもよい。
【００３８】
【発明の効果】
本発明によれば、可動保護部材を設けたので、光モジュールが筐体内に収納されている状態において、コネクタ部に接続された光ファイバを確実に保護することができる。また、光ファイバをコネクタ部に接続する際には、可動保護部材をモジュール本体に対して動かすことで、光ファイバのコネクタ接続の作業性が向上する。
【図面の簡単な説明】
【図１】本発明に係る光モジュールの一実施形態を備えた光成端箱の正面図である。
【図２】図１に示す光モジュールの平面図である。
【図３】図１に示す光モジュールの正面図である。
【図４】図１に示す光モジュールの側面図である。
【図５】図４に示す光モジュールにおいて光ファイバの接続作業を行うときの工程を示す側面図である。
【図６】図４に示す光モジュールにおいて光ファイバの接続作業を行うときの工程を示す側面図である。
【図７】図４に示す光モジュールにおいて光ファイバの接続作業を行うときの工程を示す側面図である。
【図８】図４に示す光モジュールにおいて光ファイバの接続作業を行うときの工程を示す側面図である。
【符号の説明】
１…光成端箱、２…筐体、３…光モジュール、５…多心光ファイバテープ心線（光ファイバ）、７…光コード（光ファイバ）、８…ベース部材、９…ガイド棒、１１…モジュール本体、１２…支持部材、１９…コネクタアダプタ部（コネクタ部）、２３…可動保護部材、２４…蝶番、２７…ストッパ（ロック手段）。
【図１】
2004086060.tif 000003
【図２】
2004086060.tif 000004
【図３】
2004086060.tif 000005
【図４】
2004086060.tif 000006
【図５】
2004086060.tif 000007
【図６】
2004086060.tif 000008
【図７】
2004086060.tif 000009
【図８】
2004086060.tif 000010